(57)【要約】      （修正有）【課題】様々な外観状態の間で変化することのできる携帯型電子機器を提供する。【解決手段】携帯型電子機器１００は、互いに向かい合う第１表面Ｓ１および第２表面Ｓ２を有する第１本体１１０と、第１本体上に可動に配置され、第１表面を覆う第２本体１２０と、第１本体に固定された第１フレーム１３０と、第１フレームに枢設された第２フレーム１４０と、第２本体に固定され、第２フレームにスライド可能に接続された第３フレーム１５０とを備える。第２フレームは、第３フレームに相対して第１位置と第２位置の間でスライドすることができる。第２フレームが第３フレームに相対して第２位置に設置された時、第１フレームは、第２フレームに相対して第２位置から第１位置に向かって回転し、第３位置に達することができるため、第２本体を第１本体に相対して第１表面から第２表面にひっくり返すことができる。【選択図】図２Ｃ
0003161052.tif 000002
【実用新案登録請求の範囲】
【請求項１】
互いに向かい合う第１表面および第２表面を有する第１本体と、
前記第１本体に可動に配置され、前記第１表面を覆う第２本体と、
前記第１本体に固定された第１フレームと、
前記第１フレームに枢設された第２フレームと、
前記第２本体に固定され、前記第２フレームにスライド可能に接続された第３フレームとを備え、
前記第２フレームが前記第３フレームに相対して第１位置と第２位置の間でスライドすることができるため、前記第２本体が前記第１本体に相対してスライドすることができるとともに、前記第２フレームが前記第３フレームに相対して前記第２位置に設置された時、前記第１フレームが前記第２フレームに相対して前記第２位置から前記第１位置に向かって回転して第３位置に達することができるため、前記第２本体を前記第１本体に相対して前記第１表面から前記第２表面にひっくり返すことができる携帯型電子機器。
【請求項２】
前記第３フレームが第１制止部材を備え、前記携帯型電子機器が、前記第２フレームに接続された第１制限部材をさらに備え、前記第２フレームが前記第３フレームに相対してスライドした時、前記第１制限部材が前記第２フレームに相対して前記第１フレームの回転を制限する請求項１記載の携帯型電子機器。
【請求項３】
前記第１フレームが係止部を備え、前記第１制限部材が、
前記第２フレームに固定された第１弾性部と、
前記第１弾性部から延伸し、前記係止部の回転範囲内に設置された第１制限部とを備え、
前記第２フレームが前記第３フレームに相対して前記第２位置にスライドした時、前記第１制止部材が前記第１弾性部を押して、前記第１制限部を前記係止部の前記回転範囲の外に移動させる請求項２記載の携帯型電子機器。
【請求項４】
前記第２フレームに接続された第２制限部材をさらに備え、
前記第１フレームが第２制止部材を備え、前記第１フレームが前記第２フレームに相対して回転した時、前記第２制限部材が前記第３フレームに相対して前記第２フレームのスライド運動を制限する請求項１記載の携帯型電子機器。
【請求項５】
前記第３フレームがスナップ部を備え、前記第２制限部材が、
前記第２フレームに固定された第２弾性部と、
前記第２弾性部から延伸する第２制限部とを備え、
前記第１フレームが前記第２フレームに相対して回転した時、前記第２制限部が前記スナップ部に干渉し、前記第１フレームが前記第２フレームに相対して前記第２位置に回転した時、前記第２制止部材が前記第２弾性部を押して、前記第２制限部と前記スナップ部の間の干渉を解除する請求項４記載の携帯型電子機器。
【請求項６】
前記第１フレームおよび前記第２フレームが、磁気吸引力によって互いにくっついている請求項１記載の携帯型電子機器。
【請求項７】
前記第１フレームおよび前記第２フレームに接続され、前記第１フレームおよび前記第２フレームを互いに相対して回転するよう駆動する第１駆動部材をさらに備えた請求項１記載の携帯型電子機器。
【請求項８】
前記第１駆動部材が、ねじりばねを含む請求項７記載の携帯型電子機器。
【請求項９】
前記第１本体が、前記第１表面に設置されたキーボードと、前記第２表面に設置されたスピーカー開口部とを備え、前記第２フレームが前記第３フレームに相対して前記第１位置に設置された時、前記キーボードが前記第２本体によって覆われ、前記第２フレームが前記第３フレームに相対して前記第２位置に設置された時、前記キーボードが前記第１本体の外に露出する請求項１記載の携帯型電子機器。
【請求項１０】
前記第２フレームと前記第３フレームの間に配置された少なくとも１つの第２駆動部材をさらに備えた請求項１記載の携帯型電子機器。
【請求項１１】
前記第２駆動部材が、ねじりばねを含む請求項１０記載の携帯型電子機器。
【請求項１２】
請求項１に記載された前記携帯型電子機器の操作に応用可能な操作方法であって、
第２フレームが第３フレームに相対して第１位置に設置されると、前記携帯型電子機器が第１操作モードに入り、
前記第２フレームが前記第３フレームに相対して第２位置に設置されると、前記携帯型電子機器が第２操作モードに入り、
第１フレームが前記第２フレームに相対して第３位置に設置されると、前記携帯型電子機器が第３操作モードに入る操作方法。
【請求項１３】
前記第１操作モードが、電話モードを含む請求項１２記載の操作方法。
【請求項１４】
前記第２操作モードが、入力モードを含む請求項１２記載の操作方法。
【請求項１５】
前記第３操作モードが、マルチメディア再生モードモードを含む請求項１２記載の操作方法。
【考案の詳細な説明】
【技術分野】
【０００１】
この考案は、携帯型電子機器に関し、特に、様々な外観状態の間で変化することのできる携帯型電子機器に関する。
【背景技術】
【０００２】
技術の急速な発展に伴い、電子機器は、次第に人々の日常生活に不可欠なものになってきている。最近では、電子機器に対するユーザーの要求として、高い操作性能や、軽薄短小型の特徴などが求められている。そのため、ＵＭＰＣ（ultra mobile personal computer）、タブレットＰＣ、ポケットＰＣ、ＰＤＡ（personal digital assistance）、携帯電話、ノートパソコンを含む様々な携帯型電子機器が次々と提案されてきた。
【０００３】
現在の携帯型電子機器のほとんどは、クラムシェル（clam shell）設計またはスライド式設計を採用しており、２つの重なり合う本体に表示スクリーンとキーボードをそれぞれ設置しているため、ユーザーは、機器の操作を便利に行うことができる。キーボード入力や無線通信のような基本モードの他に、現在の携帯型電子機器は、例えば、映画や写真を見たり、ビデオ会議を行うことのできるマルチメディア再生機能も備えている。
【０００４】
クラムシェル型の携帯型電子機器は、２つの重なり合う本体がピボット式で相互に接続されており、上部本体の内表面にスクリーンを備え、上部本体に面する下部本体の内表面にキーボードを備えている。ユーザーが、オーディオ／ビデオを再生したり、キーボード入力モードに入る時は、下部本体に相対して上部本体を回転させ、携帯型電子機器の下部本体をプラットフォームに置くことによって、ユーザーは、機器の操作を便利に行い、オーディオ／ビデオを楽しむことができる。
【考案の概要】
【考案が解決しようとする課題】
【０００５】
しかしながら、ある種の携帯型電子機器は、スピーカーの開口部が下部本体の外側表面に設けられている。その結果、携帯型電子機器のスピーカーから音響効果が出された時、下部本体が置かれているプラットフォームによって開口部が覆われているために、音の伝送が妨害され、音声出力の品質が低下する。
【０００６】
そこで、この考案の目的は、様々な外観状態の間で変化することのできる携帯型電子機器を提供することにある。
【課題を解決するための手段】
【０００７】
この考案は、携帯型電子機器を提供するものであり、第１本体と、第２本体と、第１フレームと、第２フレームと、第３フレームとを備える。第１本体は、互いに向かい合う第１表面および第２表面を有する。第２本体は、第１本体の上に可動に配置され、第１表面を覆う。第１フレームは、第１本体に固定される。第２フレームは、第１フレームに枢設される。第３フレームは、第２本体に固定され、第２フレームにスライド可能に接続される。第２フレームは、第３フレームに相対して第１位置と第２位置の間でスライドすることができるため、第２本体は、第１本体に相対してスライドすることができる。第２フレームが第３フレームに相対して第２位置に設置された時、第１フレームは、第２フレームに相対して第２位置から第１位置に向かって回転し、第３位置に達することができるため、第２本体を第１本体に相対して第１表面から第２表面にひっくり返すことができる。
【０００８】
この考案は、携帯型電子機器の操作に応用することのできる操作方法を提供する。まず、第２フレームが第３フレームに相対して第１位置に設置されると、携帯型電子機器は、第１操作モードに入る。次に、第２フレームが第３フレームに相対して第２位置に設置されると、携帯型電子機器は、第２操作モードに入る。そして、第１フレームが第２フレームに相対して第３位置に設置されると、携帯型電子機器は、第３操作モードに入る。
【考案の効果】
【０００９】
以上のように、この考案は、第１本体に相対してスライドすることができるだけでなく、第２本体を第１本体の１つの表面から他の表面にひっくり返すこともできるため、本体間の相対的運動によって、携帯型電子機器に別の外観状態を提供することができる。
【図面の簡単な説明】
【００１０】
【図１Ａ】この考案の実施形態に係る３つの外観状態のうちの１つの外観状態の携帯型電子機器の斜視図である。
【図１Ｂ】この考案の実施形態に係る３つの外観状態のうちの１つの外観状態の携帯型電子機器の斜視図である。
【図１Ｃ】この考案の実施形態に係る３つの外観状態のうちの１つの外観状態の携帯型電子機器の斜視図である。
【図２Ａ】別の視角からの図１Ａの携帯型電子機器の斜視図である。
【図２Ｂ】別の視角からの図１Ｂの携帯型電子機器の斜視図である。
【図２Ｃ】別の視角からの図１Ｃの携帯型電子機器の斜視図である。
【図３Ａ】図２Ａの携帯型電子機器のフレームおよび他の構成要素を含む複数の構成要素の斜視図である。
【図３Ｂ】図２Ｂの携帯型電子機器のフレームおよび他の構成要素を含む複数の構成要素の斜視図である。
【図３Ｃ】図２Ｃの携帯型電子機器のフレームおよび他の構成要素を含む複数の構成要素の斜視図である。
【図４】図３Ａのフレームおよび他の構成要素の底面図である。
【図５Ａ】図３Ａのフレームおよび他の構成要素の部分的正面図である。
【図５Ｂ】図３Ｂのフレームおよび他の構成要素の部分的正面図である。
【図６Ａ】図３Ｃのフレームおよび他の構成要素の正面図である。
【図６Ｂ】図６Ａのフレームおよび他の構成要素の側面図である。
【考案を実施するための形態】
【００１１】
添付の図面を参照して、この考案の実施形態について詳細を説明する。なお、図面および実施形態において同じ符号を使用している構成要素は、同一または類似の部分を表す。
【００１２】
図１Ａから１Ｃは、それぞれこの考案の実施形態に係る３つの外観状態の携帯型電子機器の斜視図である。図２Ａから図２Ｃは、それぞれ別の視角からの図１Ａから図１Ｃの携帯型電子機器の斜視図である。図３Ａから図３Ｃは、それぞれ図２Ａから図２Ｃの携帯型電子機器のフレームおよび他の構成要素を含む複数の構成要素の斜視図である。図１Ａ、２Ａおよび３Ａを参照すると、携帯型電子機器１００は、第１本体１１０と、第２本体１２０とを備える。第１本体１１０は、互いに向かい合う第１表面Ｓ１と、第２表面Ｓ２とを有する。第２本体１２０が図１Ａの位置に設置された時、第２本体１２０は、第１本体１１０の上に配置され、第１表面Ｓ１を覆う。
【００１３】
図２Ｃおよび図３Ａから図３Ｃを参照すると、携帯型電子機器１００は、さらに、第１フレーム１３０と、第２フレーム１４０と、第３フレーム１５０とを備える。第１フレーム１３０は、図２Ｃの第１本体１１０に固定される。第２フレーム１４０は、第１フレーム１３０に枢設される。第３フレーム１５０は、図２Ｃの第２本体１２０に固定される。第３フレーム１５０は、図３Ａおよび３Ｂに示すように、第２フレーム１４０にスライド可能に接続される。第２フレーム１４０は、第３フレーム１５０に相対して図３Ａの第１位置と図３Ｂの第２位置の間でスライドすることができるため、第２本体１２０は、第１本体１１０に相対して図２Ａおよび図２Ｂの位置の間でスライドすることができる。
【００１４】
第２フレーム１４０が第３フレーム１５０に相対して図３Ｂの第２位置に設置された時、第１フレーム１３０は、第２フレーム１４０に相対して図３Ｂの第２位置から図３Ａの第１位置に向かって回転し、図３Ｃの第３位置に達することができるため、図２Ｃに示すように、第２本体１２０を第１本体１１０に相対して第１表面Ｓ１から第２表面Ｓ２にひっくり返すことができる。第２本体１２０を第１本体１１０に相対して第１表面Ｓ１から第２表面Ｓ２にひっくり返すことによって、携帯型電子機器１００に別の外観状態を提供することができるため、ソフトウェアと合わせて使用する際に、携帯型電子機器１００の応用がさらに拡大する。
【００１５】
図４は、図３Ａのフレームおよび他の構成要素の底面図であり、図５Ａは、図３Ａのフレームおよび他の構成要素の部分的正面図である。構成要素間の関係を明確に示すため、ここでは、第１制限部材１６０を斜線で表わす。図４および図５Ａを参照すると、本実施形態において、携帯型電子機器１００は、さらに、第２フレーム１４０に接続された第１制限部材１６０を備える。第１制限部材１６０は、第１弾性部１６２と、第１制限部１６４とを備える。第１弾性部１６２は、第２フレーム１４０に固定される。第１制限部１６４は、第１弾性部１６２から延伸する。第１フレーム１３０は、係止部１３４を有する。そのため、第２フレーム１４０が第３フレーム１５０に相対してスライドした時、第１制限部材１６０が係止部１３４に干渉して、第２フレーム１４０に相対する第１フレーム１３０の回転を制限する。
【００１６】
図５Ｂは、図３Ｂのフレームおよび他の構成要素の部分的正面図である。図４、図５Ａおよび図５Ｂを参照すると、本実施形態において、第３フレーム１５０は、第１制止部材１５２を有し、第２フレーム１４０が第３フレーム１５０に相対して図３Ｂの第２位置にスライドした時、第１制止部材１５２は、第１フレーム１３０の回転に対する第１制限部材１６０の制限効果を解除する。詳しく説明すると、第２フレーム１４０が第３フレーム１５０に相対して図３Ｂの第２位置にスライドした時、第１制止部材１５２が第１弾性部１６２を押して、第１制限部１６４と係止部１３４の間の干渉関係を解除する。
【００１７】
図６Ａは、図３Ｃのフレームおよび他の構成要素の正面図であり、図６Ｂは、図６Ａのフレームおよび他の構成要素の側面図である。図６Ａおよび図６Ｂを参照すると、本実施形態において、携帯型電子機器１００は、さらに、第２フレーム１４０に接続された第２制限部材１７０を備える。第２制限部材１７０は、第２弾性部１７２と、第２制限部１７４とを備える。第２弾性部１７２は、第２フレーム１４０に固定される。第２制限部１７４は、第２弾性部１７２から延伸する。第３フレーム１５０は、図４にも示すように、スナップ部１５４を有する。そのため、第１フレーム１３０が第２フレーム１４０に相対して回転した時、第２制限部１７４がスナップ部１５４に干渉して、第３フレーム１５０に相対した第２フレーム１４０の回転を制限する。
【００１８】
図６Ａおよび図６Ｂを参照すると、本実施形態において、第１フレーム１３０は、第２制止部材１３２を有する。第１フレーム１３０が第２フレーム１４０に相対して回転した時、第２制止部材１３２は、第３フレーム１５０のスライド運動に対する第２制限部材１７０の制限効果を解除する。詳しく説明すると、第１フレーム１３０が第２フレーム１４０に相対して図３Ｂの第２位置に回転した時、第２制止部材１３２が第２弾性部１７２を押して、第２制限部１７４とスナップ部１５４の間の干渉関係を解除する。
【００１９】
図３Ｂを参照すると、本実施形態において、第１フレーム１３０および第２フレーム１４０は、磁気吸引力（magnetic attraction force）によって互いにくっついているため、ユーザーは、第２フレーム１４０に相対する第１フレーム１３０の回転を便利に制御することができる。携帯型電子機器１００は、さらに、第１フレーム１３０に配置された磁性部材１８０を備え、それに応じて第２フレーム１４０が磁化率（magnetic susceptibility）を有するため、第１フレーム１３０は、第２フレーム１４０にくっつくことができる。しかしながら、別の実施形態では（図示せず）、２つの磁性部材が第１フレーム１３０および第２フレーム１４０にそれぞれ配置され、第１フレーム１３０および第２フレーム１４０は、２つの磁性部材間の磁気吸引力によって互いにくっつく。
【００２０】
図３Ａおよび３Ｃを参照すると、携帯型電子機器１００は、さらに、第１フレーム１３０および第２フレーム１４０に接続された第１駆動部材１９０を備える。本実施形態において、第１駆動部材１９０は、例えば、ねじりばね（torsion spring）である。第２フレーム１４０が第３フレーム１５０に相対して図３Ａの第１位置と図３Ｂの第２位置の間に設置された時、第１駆動部材１９０は、圧縮される。第２フレーム１４０が一度図３Ｂの第２位置に達すると、第１制限部材１６０が第１フレーム１３０との制限関係を解除するため、第１駆動部材１９０は、第１フレーム１３０と第２フレーム１４０を互いに相対して回転するよう駆動する。詳しく説明すると、第１フレーム１３０および第２フレーム１４０が磁気吸引力によって互いにくっついている時、第１駆動部材１９０の弾性力は、第１フレーム１３０を第２フレーム１４０から分離させるのに十分ではない。しかしながら、ユーザーが第２本体１２０を回転させた時、第１駆動部材１９０の弾性力は、携帯型電子機器１００を図１Ｃの状態に維持することができる。
【００２１】
また、図２Ａから図２Ｃを参照すると、第１本体１１０は、キーボード１１２と、スピーカー開口部１１４とを有する。キーボード１１２は、例えば、ＱＷＥＲＴＹキーボードであり、第１表面Ｓ１に設置される。スピーカー開口部１１４は、第２表面Ｓ２に設置される。第２本体１２０が第１本体１１０に相対して図２Ａの位置に設置された時、キーボード１１２は、第２本体１２０によって覆われる。第２本体１２０が第１本体１１０に相対して図２Ｂの位置に設置された時、キーボード１１２は、第１本体１１０の外に露出する。言及すべきこととして、スピーカー開口部１１４は、第１本体１１０の第２表面Ｓ２に設置されるため、第２本体１２０が第１本体１１０に相対して図２Ｃの位置に設置された時、スピーカー開口部１１４は、第１本体１１０の外に露出する。こうして、携帯型電子機器１００内に構成されたスピーカー（図示せず）から出る音は、干渉されることなくスピーカー開口部１１４から伝送されるため、好ましい音質を得ることができる。
【００２２】
また、図３Ａを参照すると、携帯型電子機器１００は、さらに、第２フレーム１４０と第３フレーム１５０の間に接続された少なくとも１つの第２駆動部材２００を備える。本実施形態において、第２駆動部材２００は、例えば、ねじりばね、またはその他の弾性力を提供できる装置である。第２フレーム１４０が第３フレーム１５０に相対してスライドした時、第２駆動部材２００が第２フレーム１４０および第３フレーム１５０に駆動力を提供するため、第２本体１２０および第１本体１１０は、半自動スライド方式で相互にスライドすることができる。
【００２３】
別の実施形態において、この考案は、携帯型電子機器１００の操作に応用可能な操作方法を提供する。携帯型電子機器１００の構造は、上述した実施形態において既に説明しているため、ここでは繰り返し説明しない。図１Ａから図１Ｃを参照すると、この操作方法によって、携帯型電子機器１００は、下記のような３つの異なる外観状態を持つことができる。
【００２４】
１．第２フレーム１４０が第３フレーム１５０に相対して図３Ａの第１位置に設置されると、第２本体１２０と第１本体１１０の間の相対位置は図１Ａのようになり、携帯型電子機器１００は、第１操作モードに入る。さらに、第２本体１２０は、スクリーン１２２を有し、このスクリーンは、タッチスクリーンでもよい。したがって、第１操作モードにおいて、ユーザーは、スクリーン１２２を介して携帯型電子機器１００を操作することができる。本実施形態において、第１操作モードには、電話モードが含まれる。
【００２５】
２．第２フレーム１４０が第３フレーム１５０に相対して第２位置に設置されると、第２本体１２０と第１本体１１０の間の相対位置は図１Ｂのようになり、携帯型電子機器１００は、入力モードを含む第２操作モードに入る。第２操作モードにおいて、キーボード１１２は、第１本体１１０の外に露出されるため、ユーザーは、スクリーン１２２およびキーボード１１２を介して携帯型電子機器１００を便利に操作することができる。
【００２６】
３．第１フレーム１３０が第２フレーム１４０に相対して第３位置に設置されると、第２本体１２０と第１本体１１０の間の相対位置は図１Ｃのようになり、携帯型電子機器１００は、マルチメディア再生モードを含む第３操作モードに入る。注意すべきこととして、この時、携帯型電子機器１００のスピーカー開口部１１４（図２Ａおよび図２Ｂに示す）は、第２表面Ｓ２に設置されるため、携帯型電子機器１００は、オーディオ／ビデオの再生時に、高品質な音声出力を提供することができる。また、携帯型電子機器１００を机の表面に置いた時、スクリーン１２２の角度は、ユーザーが見るのに適した角度になるため、第３操作モードは、オーディオ／ビデオの再生またはビデオ会議にも適する。
【００２７】
以上のように、この考案の実施形態において、携帯型電子機器は、第２本体をフレームを介して第１本体に相対してスライドすることができ、第１本体に相対して第１本体の第１表面から第２表面にひっくり返すことができる。そのため、先行技術と比較すると、上述した実施形態の携帯型電子機器は、さらに別の外観状態を提供することができるため、ソフトウェアと合わせて使用する際に、携帯型電子機器の操作範囲がさらに拡大する。
【００２８】
さらに、第２本体のスピーカー開口部が第２表面に設置されるため、第２本体を第１本体に相対してひっくり返し、携帯型電子機器を第３操作モード（例えば、マルチメディア再生モード）にしてプラットフォームにおいた時、スピーカー開口部は、第２本体の外に露出してプラットフォームによって覆われないため、高品質な音声出力を維持することができる。そのため、第３操作モードは、オーディオ／ビデオの再生に適している。
【００２９】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定められなければならない。
【符号の説明】
【００３０】
１００    携帯型電子機器
１１０    第１本体
１１２    キーボード
１１４    スピーカー開口部
１２０    第２本体
１２２    スクリーン
１３０    第１フレーム
１３２    第２制止部材
１３４    係止部
１４０    第２フレーム
１５０    第３フレーム
１５２    第１制止部材
１５４    スナップ部
１６０    第１制限部材
１６２    第１弾性部
１６４    第１制限部
１７０    第２制限部材
１７２    第２弾性部
１７４    第２制限部
１８０    磁性部材
１９０    第１駆動部材
２００    第２駆動部材
Ｓ１    第１表面
Ｓ２    第２表面
【図１Ａ】
0003161052.tif 000003
【図１Ｂ】
0003161052.tif 000004
【図１Ｃ】
0003161052.tif 000005
【図２Ａ】
0003161052.tif 000006
【図２Ｂ】
0003161052.tif 000007
【図２Ｃ】
0003161052.tif 000008
【図３Ａ】
0003161052.tif 000009
【図３Ｂ】
0003161052.tif 000010
【図３Ｃ】
0003161052.tif 000011
【図４】
0003161052.tif 000012
【図５Ａ】
0003161052.tif 000013
【図５Ｂ】
0003161052.tif 000014
【図６Ａ】
0003161052.tif 000015
【図６Ｂ】
0003161052.tif 000016
【手続補正書】
【提出日】平成22年5月17日(2010.5.17)
【手続補正１】
【補正対象書類名】実用新案登録請求の範囲
【補正対象項目名】全文
【補正方法】変更
【補正の内容】
【実用新案登録請求の範囲】
【請求項１】
互いに向かい合う第１表面および第２表面を有する第１本体と、
前記第１本体に可動に配置され、前記第１表面を覆う第２本体と、
前記第１本体に固定された第１フレームと、
前記第１フレームに枢設された第２フレームと、
前記第２本体に固定され、前記第２フレームにスライド可能に接続された第３フレームとを備え、
前記第２フレームが前記第３フレームに相対して第１位置と第２位置の間でスライドすることができるため、前記第２本体が前記第１本体に相対してスライドすることができるとともに、前記第２フレームが前記第３フレームに相対して前記第２位置に設置された時、前記第１フレームが前記第２フレームに相対して前記第２位置から前記第１位置に向かって回転して第３位置に達することができるため、前記第２本体を前記第１本体に相対して前記第１表面から前記第２表面にひっくり返すことができる携帯型電子機器。
【請求項２】
前記第３フレームが第１制止部材を備え、前記携帯型電子機器が、前記第２フレームに接続された第１制限部材をさらに備え、前記第２フレームが前記第３フレームに相対してスライドした時、前記第１制限部材が前記第２フレームに相対して前記第１フレームの回転を制限する請求項１記載の携帯型電子機器。
【請求項３】
前記第１フレームが係止部を備え、前記第１制限部材が、
前記第２フレームに固定された第１弾性部と、
前記第１弾性部から延伸し、前記係止部の回転範囲内に設置された第１制限部とを備え、
前記第２フレームが前記第３フレームに相対して前記第２位置にスライドした時、前記第１制止部材が前記第１弾性部を押して、前記第１制限部を前記係止部の前記回転範囲の外に移動させる請求項２記載の携帯型電子機器。
【請求項４】
前記第２フレームに接続された第２制限部材をさらに備え、
前記第１フレームが第２制止部材を備え、前記第１フレームが前記第２フレームに相対して回転した時、前記第２制限部材が前記第３フレームに相対して前記第２フレームのスライド運動を制限する請求項１記載の携帯型電子機器。
【請求項５】
前記第３フレームがスナップ部を備え、前記第２制限部材が、
前記第２フレームに固定された第２弾性部と、
前記第２弾性部から延伸する第２制限部とを備え、
前記第１フレームが前記第２フレームに相対して回転した時、前記第２制限部が前記スナップ部に干渉し、前記第１フレームが前記第２フレームに相対して前記第２位置に回転した時、前記第２制止部材が前記第２弾性部を押して、前記第２制限部と前記スナップ部の間の干渉を解除する請求項４記載の携帯型電子機器。
【請求項６】
前記第１フレームおよび前記第２フレームが、磁気吸引力によって互いにくっついている請求項１記載の携帯型電子機器。
【請求項７】
前記第１フレームおよび前記第２フレームに接続され、前記第１フレームおよび前記第２フレームを互いに相対して回転するよう駆動する第１駆動部材をさらに備えた請求項１記載の携帯型電子機器。
【請求項８】
前記第１駆動部材が、ねじりばねを含む請求項７記載の携帯型電子機器。
【請求項９】
前記第１本体が、前記第１表面に設置されたキーボードと、前記第２表面に設置されたスピーカー開口部とを備え、前記第２フレームが前記第３フレームに相対して前記第１位置に設置された時、前記キーボードが前記第２本体によって覆われ、前記第２フレームが前記第３フレームに相対して前記第２位置に設置された時、前記キーボードが前記第１本体の外に露出する請求項１記載の携帯型電子機器。
【請求項１０】
前記第２フレームと前記第３フレームの間に配置された少なくとも１つの第２駆動部材をさらに備えた請求項１記載の携帯型電子機器。
【請求項１１】
前記第２駆動部材が、ねじりばねを含む請求項１０記載の携帯型電子機器。